(57)【要約】      （修正有）【課題】家屋内あるいは室内外を自由に往来出来る様にした便利な愛玩動物用出入り装置を提供する。【解決手段】矩形をなした開口部２の上下部分から一方方向に平行に案内レール３、３を設け、この案内レール３、３間に、前記開口部２を開閉する様に左右方向にスライド自在な引き戸５を設け、この引き戸５の移動側と対向する側の開口部２の外側上方にプーリー６を軸支すると共に、このプーリー６の直下に垂直にシリンダー７を設置し、このシリンダー７内に、このシリンダー７の内径よりわずかに小さい外径を有し、上下に小径のエアー通過孔１０が貫通していると共に、下降時に前記エアー通過孔１０を閉塞するワンウェイバルブ１１を有するピストン状錘８を滑動自在に位置させ、前記プーリー６を介して引き戸５の上端とピストン状錘８との間にワイヤー９を張架し、前記ピストン状錘８の自重により、引き戸５を開口部２を閉塞する側に付勢している。【選択図】図１
0003115165.tif 000002
【実用新案登録請求の範囲】
【請求項１】
矩形をなした開口部２の上下部分から一方方向に平行に案内レール３、３を設け、この案内レール３、３間に、前記開口部２を開閉する様に左右方向にスライド自在な引き戸５を設け、この引き戸５の移動側と対向する側の開口部２の外側上方にプーリー６を軸支すると共に、このプーリー６の直下に垂直にシリンダー７を設置し、このシリンダー７内に、このシリンダー７の内径よりわずかに小さい外径を有し、上下に小径のエアー通過孔１０が貫通していると共に、降下時に前記エアー通過孔１０を閉塞するワンウェイバルブ１１を有するピストン状錘８を滑動自在に位置させ、前記プーリー６を介して引き戸５の上端とピストン状錘８との間にワイヤー９を張架し、前記ピストン状錘８の自重により、引き戸５を開口部２を閉塞する側に付勢していることを特徴とする愛玩動物用出入り装置。
【考案の詳細な説明】
【技術分野】
【０００１】
この考案は愛玩動物用出入り装置、詳しくは主に室内で飼育されている犬や猫などの愛玩動物が、扉や引き戸で仕切られた家屋内あるいは室内外を自由に往来出来る様にした便利な愛玩動物用出入り装置に関するものである。
【背景技術】
【０００２】
室内で飼育されている犬や猫は多数存在しているが、室内から室外に出たがる場合や扉や引き戸で仕切られた家屋内において移動したがる場合があり、その様な場合に備えて窓や扉を開放しておく家庭も多い。
【特許文献１】なし
【非特許文献１】なし
【考案の開示】
【考案が解決しようとする課題】
【０００３】
しかしながら、犬や猫が通り抜けられる様に窓や扉あるいは引き戸の一部を常時開放しておくのが防犯上好ましくないことは言うまでもない。一方、窓や扉などを閉じておいても、施錠されていなければ、犬や猫は自らこれを開けて出て行けるが、彼らは自ら閉めることは出来ないので、彼らが通過した窓や扉などは開けられたままとなり、防犯上好ましくないことは明らかである。又、開放されたままの窓や扉などが風雨の侵入を防ぐ為や、冷暖房効果を維持する為に、好ましくないことも当然である。特に、最近は共稼ぎの家庭も多く、飼主不在時の愛玩用動物の室内からの出入りや家屋内における移動は大きな問題であり、防犯上からも何らかの対策が求められていた。
【０００４】
本考案者は犬や猫など室内に飼われている愛玩動物の室内からの出入りや家屋内における移動に関する上記問題点を解決すべく研究を行った結果、便利な出入り装置を開発することに成功し、本考案としてここに提案するものである。
【課題を解決するための手段】
【０００５】
矩形をなした開口部２の上下部分から一方方向に平行に案内レール３、３を設け、この案内レール３、３間に、前記開口部２を開閉する様に左右方向にスライド自在な引き戸５を設け、この引き戸５の移動側と対向する側の開口部２の外側上方にプーリー６を軸支すると共に、このプーリー６の直下に垂直にシリンダー７を設置し、このシリンダー７内に、このシリンダー７の内径よりわずかに小さい外径を有し、上下に小径のエアー通過孔１０が貫通していると共に、下降時に前記エアー通過孔１０を閉塞するワンウェイバルブ１１を有するピストン状錘８を滑動自在に位置させ、前記プーリー６を介して引き戸５の上端とピストン状錘８との間にワイヤー９を張架し、前記ピストン状錘８の自重により、引き戸５を開口部２を閉塞する側に付勢することにより上記課題を解決した。
【実施例】
【０００６】
図１はこの考案に係る愛玩動物用出入り装置の一実施側の一部を切り欠いて描いた正面図である。図中１は基板であり、図示を省略した家屋内あるいは室内と室外とを隔てる扉や引き戸などの下部にあけられた開口部を覆う様にネジ止めその他適宜手段によって取り付けられている。なお、図中１４は基板１の固定用ネジである。そして、この基板１の一方側に偏位して矩形をなした開口部２があけられており、この開口部２の上下部分から基板１の上下縁に沿って平行に案内レール３、３が設けられ、戸車４を上縁及び下縁の左右に有する引き戸５が、前記戸車４を案内レール３に係合させることにより、左右方向にスライド自在に位置せしめられている。
【０００７】
又、この引き戸５の移動方向と対向する側の開口部２の外側上方にはプーリー６が軸支されており、このプーリー６の直下には垂直に円筒状のシリンダー７が位置せしめられている。この実施例においては、シリンダー７は合成樹脂製であるが、金属製であっても良い。そして、このシリンダー７内には、このシリンダー７の内径よりわずかに小さい外径を有する円柱状を呈したピストン状錘８が滑動自在に位置せしめられており、このピストン状錘８と前記引き戸５の上端との間には、プーリー６を介してワイヤー９が張架されており、このピストン状錘８の重さにより、引き戸５はシリンダー７寄りの位置、つまり開口部２を閉塞する位置に引き寄せられている。なお、シリンダー７の内径とピストン状錘８の外径とのすき間の寸法を適宜変えることにより、ピストン状錘８の下降スピードを調整することが可能である。又、このピストン状錘８には、その上下を貫通した小径のエアー通過孔１０が設けられていると共に、その下面にはこのピストン状錘８の下降時にのみこのエアー通過孔１０を閉塞するワンウェイバルブ１１が設けられている。
【０００８】
又、引き戸５のシリンダー７寄りの側縁にはスポンジ状のゴム板１２が貼り付けられていると共に、若干内側に寄った側面には引き手用凹穿溝１３が設けられている。なお、この実施例においては、基板１の横幅は約３００ｍｍ、縦幅は約２５０ｍｍ、シリンダー７の内径は約３０ｍｍである。
【０００９】
この実施例は上述の通りの構成を有するものであり、通常状態においては、ピストン状錘８の自重により、引き戸５は図１に示す様に、右側に寄せられ、開口部２を覆った状態になっている。この状態において、犬や猫などの愛玩動物がこの出入り装置を通過しようとして、引き戸５を前足や頭部などで押し拡げると、図２に示す様に、引き戸５は左方向にスライドし、それまで引き戸５で覆われていた開口部２が現われ、最終的には図３に示す状態になり、開放された開口部２を通って犬や猫などの愛玩動物は室外などに出られる様になる。なお、引き戸５の側縁にはスポンジ状のゴム板１２が貼ってあると共に、その側面には引き手用凹穿溝１３が形成されているので、これらを利用することにより、犬や猫などの愛玩動物は容易に引き戸５をスライドさせることが出来る。引き戸５の左方向へのスライドに伴い、図２及び図３に示す様にピストン状錘８は上方に引き上げられるが、その際、ピストン状錘８の上方のシリンダー７中の空気はピストン状錘８によって圧縮されるが、エアー通過孔１０及びワンウェイバルブ１１を通って、ピストン状錘８の下方に移動するので、引き戸５は抵抗感なくスムーズにスライドさせることが出来る。
【００１０】
一方、開口部２を犬や猫などの愛玩動物が通過した後は、ピストン状錘８はそれ自身の重量によりシリンダー７内を下降するが、ピストン状錘８の下面に設けられているワンウェイバルブ１１は、ピストン状錘８の下降の際には閉じられるので、エアー通過孔１０からの空気の抜けはなく、シリンダー７内に閉じ込められた空気はシリンダー７の内壁とピストン状錘８の外周壁とのわずかのすき間から少しずつ抜け出し、ピストン状錘８は空気圧に支えられてゆっくりと下降し、引き戸５の右方向への移動も緩やかに行われる。更に、引き戸５の側縁にはスポンジ状のゴム板１２が貼り付けられているので、引き戸５が開口部２側縁に当接する際のショックがこれによって吸収される。上記説明は犬や猫などの愛玩動物が室内から外へ出ようとする場合についてであるが、室外から室内へ入ろうとする場合も全く同様である。
【００１１】
この様に、この愛玩動物用出入り装置においては、動物が押し拡げて通過した後は、引き戸５はスムーズにゆっくりと開口部２を閉塞する。引き戸５は動物通過時を除いて常時閉塞されているので、防犯上はもちろん、風雨時や冷暖房時にも大変好ましく、飼主が外出して不在の際などには大変有効である。又、モーター等外部動力を一切用いていないので、危険がなく、犬や猫などの愛玩動物がいたずらしても不測の事故を誘発するおそれは皆無で、安全対策上からも極めて好ましいものである。
【図面の簡単な説明】
【００１２】
【図１】この考案に係る愛玩動物用出入り装置の一実施例の開口部２が閉じた状態の正面図。
【図２】同じく、開きかけた状態の正面図。
【図３】同じく、完全に開いた状態の正面図。
【符号の説明】
【００１３】
１    基板
２    開口部
３    案内レール
４    戸車
５    引き戸
６    プーリー
７    シリンダー
８    ピストン状錘
９    ワイヤー
１０    エアー通過孔
１１    ワンウェイバルブ
１２    ゴム板
１３    引き手用凹穿溝
【図１】
0003115165.tif 000003
【図２】
0003115165.tif 000004
【図３】
0003115165.tif 000005